(57)【要約】      （修正有）【課題】締めひもの長さを随時調節することができ、製造が簡単な締めひも調節具を提供する。【解決手段】留め部材２として、各締めひも４のフレーム外部に残る自由端としての端部４１とは逆側の他端部４２をフレームの開口１０ａ、１０ｂよりフレーム内を経てホール１２内に出るように挿通したのち、締めひも４が進退不能に留め付けられるひも調節不能状態と、締めひも４がホール１２から進退可能になるひも調節可能状態とに切替可能に揺動するように設けられている。【選択図】図５
0003157256.tif 000002
【実用新案登録請求の範囲】
【請求項１】
挿通された２本の締めひものそれぞれの長さを調節すると共に留め付けるための締めひも調節具であって、
両端が外部へ通じる開口を有する中空部を画成する周壁に、前記中空部と連通するホールが第１の方向に沿って延びるように設けられ、各前記開口に各前記締めひもが挿通される中空フレームと、
前記フレーム内に枢着されて、各前記締めひものフレーム外部に残る自由端としての端部とは逆側の他端部を前記フレームの開口より前記フレーム内を経て前記ホール内に出るように挿通したのち、前記締めひもが進退不能に留め付けられるひも調節不能状態と、前記締めひもが前記ホールから進退可能になるひも調節可能状態とに切替可能に揺動する留め部材とを備えている
ことを特徴とする締めひも調節具。
【請求項２】
前記ホールは、前記周壁に前記第１の方向に沿って溝状に延びてなることを特徴とする請求項１に記載の締めひも調節具。
【請求項３】
前記フレームは、１つの底壁と２つの側壁とにより前記締めひもを載置するケース状に形成され、前記２つの側壁の前記底壁と接続しない側縁の両端からそれぞれストッパーがつば状に突き出て前記溝状ホールを画成することを特徴とする請求項２に記載の締めひも調節具。
【請求項４】
前記留め部材として、前記締めひもを留めて前記ひも調節不能状態にする留め部と、前記ひも調節不能状態と前記ひも調節可能状態とに切替可能に揺動する作動部とからなることを特徴とする請求項１に記載の締めひも調節具。
【請求項５】
前記留め部と前記作動部とが角を挟んでくの字形に交わってなることを特徴とする請求項４に記載の締めひも調節具。
【請求項６】
前記留め部材は、短目に形成された前記留め部及び長目に形成された前記作動部が直角に交わるＬの字形に形成されることを特徴とする請求項４に記載の締めひも調節具。
【請求項７】
前記留め部は、前記締めひもに食い込んで定位されるように前記締めひもと接する縁部が波状に形成されることを特徴とする請求項４に記載の締めひも調節具。
【請求項８】
前記２つの側壁に、同軸に対向する軸孔が設けられ、
前記作動部の留め部寄りの両側には、前記軸孔に回転自在に嵌合される突軸が設けられることを特徴とする請求項３に記載の締めひも調節具。
【考案の詳細な説明】
【技術分野】
【０００１】
本考案は、なわ、ひもなどの長さを調節する調節具に関し、より詳しくは、靴などに用いられる締めひもの長さを調節するための締めひも調節具に関する。
【背景技術】
【０００２】
従来の締めひも調節具の一例としては、図８に示すように、中空状管体８１及び該管体８１の周壁に管径方向に対向すると共に管軸方向に離間して２対のピン孔８１ａが設けられており、２本の締めひも４がそれぞれ折り曲げられ且つそれぞれの両端部が管体８１の両端より外部に残るように対向して入れられ、Ｕの字形をした挿しピン８２の両端がそれぞれピン孔８１ａに挿通すると共に、板状留め部材８３が締めひも４の折曲部４０１の内側に挟まれて管体８１の中に配置される。留め部材８３の締めひも４と接する縁部８３ａはぎざぎざに形成され、その両側端には管体８１の周壁にピン孔８１ａと並列して設けられた２対の係止孔８１ｂに揺動自在に嵌められる突軸８３ｂが形成されている。挿しピン８２は、締めひも４の折曲部４０１内側を経て管体８１のピン孔８１ａに挿通し、締めひも４を引掛けて折り返させ、締めひも４をずらせて所要の長さを調節する。所要の長さに調節した後、挿しピン８２を引抜いて留め部材８３のぎざぎざを食い込ませて締めひも４の動きを止めると共に、挿しピン８２の揺動によって締めひも４を挿しピン８２及び管体８１の周壁と共に挟んで締めひも４が定位される。
【先行技術文献】
【特許文献】
【０００３】
【特許文献１】米国特許第7343652号公報
【考案の概要】
【考案が解決しようとする課題】
【０００４】
この従来例の締めひも調節具８は、締めひも４の長さを調節することができるが、一旦管体８１内に留め部材８３が定位されると、再び留め部材８３を動かすことができないので、締めひも４の長さを再調節することができない問題点がある。また、留め部材８３の縁部８３ａにおけるぎざぎざの形成や、管体８１に対する穿孔などの工程が煩雑で製造に手間がかかる。
【０００５】
本考案は、上記問題点に鑑みてなされたものであり、締めひもの長さを随時調節することができ、製造が簡単な締めひも調節具を提供することを目的とする。
【課題を解決するための手段】
【０００６】
前記目的を達成すべく、本考案は、挿通された２本の締めひものそれぞれの長さを調節すると共に留め付けるための締めひも調節具であって、両端が外部へ通じる開口を有し、各前記開口に各前記締めひもが挿通される中空フレームと、前記フレーム内に枢着されて、前記締めひもを留め付ける留め部材とを備え、前記フレームの中空部を画成する周壁に、前記中空部と連通するホールが第１の方向に沿って延びるように設けられ、前記留め部材として、各前記締めひものフレーム外部に残る自由端としての端部とは逆側の他端部を前記フレームの開口より前記フレーム内を経て前記ホール内に出るように挿通したのち、前記締めひもが進退不能に留め付けられるひも調節不能状態と、前記締めひもが前記ホールから進退可能になるひも調節可能状態とに切替可能に揺動するように設けられていることを特徴とする締めひも調節具を提供する。
【０００７】
前記締めひも調節具においては、前記ホールは、前記周壁に前記第１の方向に沿って溝状に延びてなり、又は、前記フレームは、１つの底壁と２つの側壁とにより前記締めひもを載置するケース状に形成され、前記２つの側壁の前記底壁と接続しない側縁の両端からそれぞれストッパーがつば状に突き出て前記溝状ホールを画成することが好ましい。
【０００８】
前記締めひも調節具においては、前記留め部材として、前記締めひもを留めて前記ひも調節不能状態にする留め部と、前記ひも調節不能状態と前記ひも調節可能状態とに切替可能に揺動する作動部とからなることが好ましい。
【０００９】
前記留め部材としては、前記留め部と前記作動部とが角を挟んでくの字形に交わってなることが好ましい。
【００１０】
さらに、前記留め部材は、短目に形成された前記留め部及び長目に形成された前記作動部が直角に交わるＬの字形に形成されることが好ましい。
【００１１】
また、前記留め部は、前記締めひもに食い込んで定位されるように前記締めひもと接する縁部が波状に形成されることが好ましい。
【００１２】
前記締めひも調節具においては、前記２つの側壁に、同軸に対向する軸孔が設けられ、前記作動部の留め部寄りの両側に、前記軸孔に回転自在に嵌合される突軸が設けられることが好ましい。
【考案の効果】
【００１３】
本考案の締めひも調節具によれば、留め部材がフレーム内において揺動可能に設けられるので、留め部材の作動部を回動させるだけで、留め部が締めひもに食い込み且つ周壁とで挟みつけた調節不能状態と、進退可能であるひも調節可能状態とに変えることができる。したがって、簡単な操作で締めひもの長さを随時調節することができる。また、締めひもを折り曲げてフレームに入れる必要がないのでフレームを径大に形成する必要がなく小型化でき、構成要素も少ないので、装置全体がコンパクトになり、組立てもより簡単になる。
【図面の簡単な説明】
【００１４】
【図１】本考案の一実施の形態例の締めひも調節具を示す分解斜視図である。
【図２】同締めひも調節具におけるフレームの一例を示す展開参考図である。
【図３】同締めひも調節具における留め部材の一例を示す展開参考図である。
【図４】同締めひも調節具の組立断面図である。
【図５】同締めひも調節具による締めひもの調節可能状態を示す断面図である。
【図６】同締めひも調節具による締めひもの調節不能状態を示す断面図である。
【図７】同締めひも調節具が靴に配置された状態を示す斜視図である。
【図８】従来例の締めひも調節具を概略的に示す分解斜視図である。
【考案を実施するための形態】
【００１５】
以下、添付図面を参照しながら本考案の締めひも調節具について説明する。
【実施例】
【００１６】
図１は、本考案の一実施の形態例の締めひも調節具１００を示す分解斜視図、図２は、同締めひも調節具１００におけるフレーム１の一例を示す展開参考図、図３は、同締めひも調節具１００における留め部材２の一例を示す展開参考図、図４は、同締めひも調節具１００の組立断面図、図５は、同締めひも調節具１００による締めひも４の調節可能状態を示す断面図、図６は、同締めひも調節具１００による締めひも４の調節不能状態を示す断面図、図７は、同締めひも調節具１００が靴３００に配置された状態を示す斜視図である。
【００１７】
この締めひも調節具１００は、図示の如く、２本の締めひも４が進退自在に挿通されて締めひも４のそれぞれの長さを調節するための締めひも調節具１００であり、周壁１１で中空部１０を画成するフレーム１及び該フレーム１内に回動可能に枢接されている留め部材２を備えている。締めひも４は細く長条状に編み上げてなり、例えば靴３００の２列のひも穴３１０に交差して挿入されてなる（図７参照）。
【００１８】
フレーム１は、中空部１０を画成する周壁１１が第１の方向に沿って長手状に延伸し、その両端１１ａ、１１ｂが開放されて開口１０ａ、１０ｂを有し、締めひも４の外に残る自由端としての端部４１と逆側の他側部４２が進退可能に両端開口１０ａ、１０ｂに挿通できるように形成され、周壁１１に、中空部１０と連通するホール１２が第１の方向に沿って延びるように設けられている。締めひも４の他端部４２は、ホール１２を介して中空部１０の外に進退することができる。
【００１９】
フレーム１としては、一例として１つの底壁１１２と２つの側壁１１１、１１３とにより締めひも４を載置するケース状に形成されるが、他例として、図２に示されるように、平面視でほぼＩの字形をした金属板材などをプレス成形することにより、両端１１ａ、１１ｂ及び一面が、外部へ通じる開口１０ａ、１０ｂ及びホール１２を画成するコの字形に折り曲げられ、ホール１２の両側縁のそれぞれの両端からストッパー１３、１４がタブ状に突き出てなってもよい。また、周壁１１の外表面にコーティングして塗装層３０を形成し、塗装層３０の中央部分を研削して標示部１５を設けられるようにしても良い。
【００２０】
なお、ホール１２は、この例においては、２つの側壁１１１、１１３の底壁１１２と接続しない側縁１１１ａ、１１３ａの両端１１１ｂ、１１１ｃ、１１３ｂ、１１３ｃからそれぞれつば状に突き出たストッパー１３、１４により画成されたが、周壁の両端が開口した管状をしたフレームを用いて、該フレームの壁面に形成されてもよい。
【００２１】
この例としては、締めひも４を留めつける部材として、２つの留め部材２が用いられ、該留め部材２は、各フレーム１の両端開口１０ａ、１０ｂの外に締めひも４の自由端部４１を所定の長さに残した状態で、締めひも４に食い込むことで、締めひも４の他端部４２がそれぞれ留め部材２及び周壁１１とで挟みつけたひも調節不能状態（図６参照）となり、且つ、該ひも調節不能状態と締めひも４の他端部４２がホール１２から進退できるひも調節可能状態（図４参照）とに切替可能に揺動するように、フレーム１内に回動可能に枢接されている。より具体的には、各留め部材２は、フレーム１の底壁１１２の上に締めひも４の他端部４１が挿通できる間隔をあけて回動可能に２つの側壁１１１、１１３に枢接されている。２つの側壁１１１、１１３に、同軸に対向する軸孔１１５が設けられ、作動部２２の留め部２１寄りの両側に、軸孔１１５に回転自在に嵌合される突軸２２１が設けられている。
【００２２】
留め部材２は、締めひも４を留めてひもを調節不能状態にする留め部２１と、ひもの調節不能状態からひも調節可能状態とに切替可能に揺動する作動部２２とからなる。留め部材２は、一例として、図３に示されるように、板材などにより、留め部２１と作動部２２とが角を挟んでくの字形に交わってなるとよく、好ましくは、短目に形成された留め部２１及び長目に形成された作動部２２により直角に交わるＬの字形に形成される。
【００２３】
留め部２１は、この例においては、締めひも４の間に食い込んで締めひも４が移動不能に定位されるように、締めひも４と接する縁部２１１を波状に形成しているが、同縁部２１１をぎざぎざな形状にしてもよい。
【００２４】
次いで、本実施例の締めひも調節具１００の動作を説明する。図５は、この締めひも調節具１００に締めひも４が挿通されてその長さが調節できる状態を示す断面図、図６は、この締めひも調節具１００における締めひも４を留めてその長さが調節できない定位状態を示す断面図である。
【００２５】
図５に示すように、締めひも４の自由端部４１がフレーム１の開口１０ａ、１０ｂを介して中空部１０に挿入され、留め部材２の留め部２１と底壁１１２内との間の間隙を挿通してホール１２内に出る。自由端部４２が所定の長さになるように調節した後、作動部２２を指などでフレーム１の内部１０へ回動させると、留め部２１が締めひも４に食い込む。図６に示すように、留め部２１が締めひも４に食い込んで締めひも４をフレーム１内に移動不能に係止してから、締めひも４のホール１２内に出た他端部４２の余分を切り落とす。
【００２６】
以上により、留め部材２を揺動させて、締めひも４を留めて定位させるひも調節不能状態と締めひも４の長さを調節できるひも調節可能状態に切り替えることができる。したがって、簡単な操作で締めひもの長さを随時調節することができる。また、締めひも４を二つ折りにしてフレーム１に挿入する必要がないので、フレーム１を径大に形成しなくてもよい。本考案の締めひも調節具は、構成要素が少なく、構成をコンパクトにすることができるので、組立てが簡単になり、製造コストの削減を図ることができる。
【産業上の利用可能性】
【００２７】
本考案の締めひも調節具は、ひもなどの長さを調節する装置として有用である。
【符号の説明】
【００２８】
１００  締めひも調節具
１  フレーム
１１  周壁
１１１、１１３  側壁
１１２  底壁
１１５  軸孔
１３、１４  ストッパー
１０  中空部
１０ａ、１０ｂ  開口
１２  ホール
２  留め部材
２１  留め部
２１１  縁部
２２  作動部
２２１  突軸
４  締めひも
４１、４２  端部
３００  靴
３１０  ひも穴
【図１】
0003157256.tif 000003
【図２】
0003157256.tif 000004
【図３】
0003157256.tif 000005
【図４】
0003157256.tif 000006
【図５】
0003157256.tif 000007
【図６】
0003157256.tif 000008
【図７】
0003157256.tif 000009
【図８】
0003157256.tif 000010